(57)【要約】【課題】  主電源の供給が停止した電断の発生時に、本体内部に取り込んでいるカードを、カードデータを破壊することなく、速やかに利用者に返却することができるカード処理装置を提供する。【解決手段】  カード処理装置１は、主電源の電断が発生すると、カードに対して実行している処理を中止し、バックアップ電源部６によるバックアップ電源の供給が安定するのを待つ。そして、今回中止した処理がカードデータを破壊する可能性が高い、カードデータの書き込みにかかる処理であれば、中止した処理をやり直す。一方、今回中止した処理がカードデータを破壊する可能性が低い処理であれば、カードをカー素挿入口へ搬送する。【選択図】  図３
2006092190.tif 000002
【特許請求の範囲】
【請求項１】
カード挿入口に挿入されたカードを搬送し本体内部に取り込んだり、本体に取り込んだカードを搬送し前記カード挿入口へ排出するカード搬送手段と、
前記カード搬送手段により本体に取り込んだカードに対して、カードデータの読み取りや、書き込みを行うカードデータ処理手段と、
本体に供給されている主電源の供給停止を検知する電断検知手段と、
前記電断検知手段により主電源の供給停止が検知されたときに、バックアップ電源により本体に対する電源供給を開始するバックアップ電源供給手段と、
前記電断検知手段により主電源の供給停止が検知されたときに、その時点で実行しているカードに対する処理を中止し、前記バックアップ電源供給手段による電源供給開始後に、該カードに対して今回中止した処理を最初からやり直し、前記カード搬送手段により該カードを前記カード挿入口へ排出するバックアップ手段と、を備えたカード処理装置。
【請求項２】
前記バックアップ電源供給手段は、２次電池と、この２次電池の出力を昇圧する昇圧回路と、を有する請求項１に記載のカード処理装置。
【請求項３】
前記バックアップ手段は、前記電断検知手段により主電源の供給停止が検知されたときに、カードに対して実行している処理がカードデータの読み取りであれば、前記バックアップ電源供給手段による電源供給開始後に、中止したカードデータの読み取りにかかる処理をやり直すことなく前記カード搬送手段により該カードを前記カード挿入口へ排出する請求項１または２に記載のカード処理装置。
【発明の詳細な説明】
【技術分野】
【０００１】
この発明は、カード挿入口に挿入された磁気カードやＩＣカード等のカードを本体に取り込み、このカードに対してカードデータの読み取りや書き込みにかかる処理を行うカード処理装置に関し、特に外部から供給されている主電源の供給停止に対するバックアップ機能を有するカード処理装置に関する。
【背景技術】
【０００２】
従来、磁気ストライプが形成された磁気カードや、ＩＣが搭載されたＩＣカードを本体内部に取り込み、取り込んだカードに対してカードデータの読み取りや、書き込みにかかる処理を行うカード処理装置が実用化されている。カード処理装置は、金融機関の店舗に設置されているＡＴＭやＣＤ、駅に設置されている券売機等、種々の機器に適用されている。
【０００３】
一般的なカード処理装置は、カード挿入口に挿入されたカードを本体内部に取り込み、このカードに記録されているカードデータの読み取りや、このカードに対するカードデータの書き込みにかかる処理を行っているときに、主電源の供給が停止しても、装置本体に取り込んでいるカードを利用者に返却できるように構成されている。具体的には、バックアップ電源としてコンデンサや２次電池を備え、主電源の供給が停止した電断時にバックアップ電源による電源供給を開始し、少なくとも装置本体に取り込んでいるカードをカード挿入口へ搬送し、該カードを利用者に返却するように構成されている。
【０００４】
バックアップ電源としてコンデンサを用いたカード処理装置では、バックアップ電源で装置本体を動作させることができる時間が短い。例えば、容量が１８０ｍＦ、耐圧が５０Ｖの電解コンデンサをバックアップ電源として用いた場合、カードの搬送用モータの電源がＤＣ２４Ｖであると、バックアップ電源で装置本体を動作させることができる時間は１０秒程度である。このため、主電源の供給が停止すると、装置本体に取り込んでいるカードに対して実行している処理を中止し、バックアップ電源により該カードをカード挿入口へ搬送し、カードを利用者に返却している。しかし、主電源の供給が停止したときにカードに対して実行していた処理がカードのデータの書き込みであった場合、このカードデータの書き込みを中止したことにより、利用者に返却したカードのカードデータは破壊されている。言い換えれば、カードデータが破壊されたカードを利用者に返却することになる。
【０００５】
なお、バックアップ電源として用いるコンデンサの容量を増大すれば、主電源の供給が停止した電断時に実行していた処理を最後まで行ってからカードを利用者に返却するように構成できるが、上記の容量のコンデンサであっても３５０ｍｌ缶程度の大きさであり、カード処理装置を大型化させるという問題がある。
【０００６】
一方、バックアップ電源として２次電池、例えばニッケル水素電池、を用いたカード処理装置では、バックアップ電源により装置本体を数分間動作させることができるので、主電源の供給が停止しても、装置本体に取り込んでいるカードに対して実行している処理を継続し、この処理の完了後にカードをカード挿入口へ搬送し、利用者に返却することができる。したがって、電断時にカードデータの書き込みにかかる処理を実行していても、カードデータが破壊されたカードを利用者に返却するのを防止できる。
【０００７】
なお、バックアップ電源として用いる一般的な２次電池は、単セルが１．１〜１．５Ｖ程度であるから、２０本程度用いることになり、その大きさはタバコ４〜５箱分程度である。
【０００８】
また、実行中の処理にかかるデータをバッテリバックアップされたメモリ（ＲＡＭ）に一時記憶し、電断が生じたときには、この電断の回復後に電断が生じたときの処理をやり直すことが提案されている（特許文献１参照）。この特許文献１に記載されている構成では、必要なバックアップ電源の容量が極めて小さいので、装置本体を小型に構成できる。
【特許文献１】実公平７−２８６１１号公報
【発明の開示】
【発明が解決しようとする課題】
【０００９】
しかしながら、バックアップ電源として２次電池を用いた従来のカード処理装置は、主電源の供給が停止した電断を検知したときに、バックアップ電源による電源供給を開始する構成であるので、電断の発生からバックアップ電源により供給される電源が安定するまでに、数１０ｍｓ程度のタイムラグが存在し、このタイムラグの期間の動作が不安定になる。このため、電断の発生時に実行している処理がカードデータの書き込みであると、多くの場合、上記タイムラグの期間に書き込み不良が発生し、このカードデータの書き込みに失敗する。したがって、電断の発生時に実行していたカードデータの書き込みにかかる処理（一度失敗した処理）をやり直してから、カードを利用者に返却することになり、主電源の供給が停止した電断の発生からカードを利用者に返却するまでに長い時間を要し、利用者を待たせるといという問題があった。
【００１０】
また、特許文献１に記載されている構成では、電断が復旧するまで利用者にカードを返却することができない。したがって、電断の発生からカードを利用者に返却するまでに要する時間については、バックアップ電源として２次電池を用いたカード処理装置よりも長くなる。
【００１１】
この発明の目的は、主電源の供給が停止した電断の発生時に、本体内部に取り込んでいるカードを、カードデータを破壊することなく、速やかに利用者に返却することができるカード処理装置を提供することにある。
【課題を解決するための手段】
【００１２】
この発明のカード処理装置は、上記課題を解決するために、以下の構成を備えている。
【００１３】
（１）カード挿入口に挿入されたカードを搬送し本体内部に取り込んだり、本体に取り込んだカードを搬送し前記カード挿入口へ排出するカード搬送手段と、
前記カード搬送手段により本体に取り込んだカードに対して、カードデータの読み取りや、書き込みを行うカードデータ処理手段と、
本体に供給されている主電源の供給停止を検知する電断検知手段と、
前記電断検知手段により主電源の供給停止が検知されたときに、バックアップ電源により本体に対する電源供給を開始するバックアップ電源供給手段と、
前記電断検知手段により主電源の供給停止が検知されたときに、その時点で実行しているカードに対する処理を中止し、前記バックアップ電源供給手段による電源供給開始後に、該カードに対して今回中止した処理を最初からやり直し、前記カード搬送手段により該カードを前記カード挿入口へ排出するバックアップ手段と、を備えている。
【００１４】
この構成では、電断検知手段が本体に対する主電源の供給停止を検知すると、搬送手段により本体に取り込んでいるカードに対して実行している処理が中止される。また、バックアップ電源供給手段がバックアップ電源による電源供給を開始する。バックアップ手段がバックアップ電源による電源供給が安定するのを待って、中止した処理をやり直し、カード搬送手段がカードをカード挿入口へ搬送し、利用者に返却する。電断検知手段が主電源の供給停止を検知してから、バックアップ電源による電源供給が安定するまでに要する時間は、数１０ｍｓ程度である。
【００１５】
このように、主電源の供給が停止すると、そのときに行っていた処理を中止する（従来のカード処理装置のように継続して行わない。）。言い換えれば、電断の発生からバックアップ電源による電源供給が安定するまでの期間に失敗している可能性が高い処理を最後まで実行するという、無駄な処理を行わない。また、バックアップ電源による電源供給が安定してから、電断の発生時に実行していた処理をやり直す。したがって、カードデータを破壊することなく、速やかにカードを利用者に返却することができる。また、電断の発生時に無駄な処理を実行しないので、必要になるバックアップ電源の容量も抑えることができ、装置本体の小型化が図れる。
【００１６】
（２）前記バックアップ電源供給手段は、２次電池と、この２次電池の出力を昇圧する昇圧回路と、を有する。
【００１７】
この構成では、昇圧回路で２次電池の出力を昇圧する構成としたので、必要になる２次電池の本数を抑えることができ、装置本体の小型化が図れる。
【００１８】
（３）前記バックアップ手段は、前記電断検知手段により主電源の供給停止が検知されたときに、カードに対して実行している処理がカードデータの読み取りであれば、前記バックアップ電源供給手段による電源供給開始後に、中止したカードデータの読み取りにかかる処理をやり直すことなく前記カード搬送手段により該カードを前記カード挿入口へ排出する。
【００１９】
この構成では、電断の発生時に行っていた処理がカードデータの読み取りであれば、電断の発生時にカードデータが破壊されることがないので、このカードに対して実行していたカードデータの読み取りにかかる処理をやり直すことなく、カードをカード挿入口に搬送し、利用者に返却する。したがって、速やかにカードを利用者に返却することができ、利用者を待たせることがない。
【発明の効果】
【００２０】
この発明によれば、カードデータを破壊することなく、速やかにカードを利用者に返却することができる。また、電断の発生時に無駄な処理を実行しないので、必要になるバックアップ電源の容量を抑えることができ、装置本体の小型化が図れる。
【発明を実施するための最良の形態】
【００２１】
以下、この発明の実施形態であるカード処理装置について説明する。
【００２２】
図１は、この発明の実施形態であるカード処理装置の構成を示すブロック図である。この実施形態のカード処理装置１に外部から供給される主電源は２４Ｖである。この実施形態のカード処理装置１は、磁気カードを処理するカード処理装置である。この実施形態のカード処理装置１は、本体の動作を制御する制御部２と、カード挿入口に挿入されたカードを搬送するカード搬送部３と、カードに対してカードデータの読み取りや書き込みを行うカード処理部４と、主電源の供給が停止したかどうかを検知する電断検知部５と、主電源の供給が停止しているときに動作電源を供給するバックアップ電源部６と、主電源を降圧するＤＣ−ＤＣコンバータ７と、上位装置との通信を行う通信部８とを備えている。カード処理装置１は、カード搬送部３、カードデータの書込回路（カード処理部４）等に主電源を直接供給し、制御部２、カードデータの読取回路（カード処理部４）、通信部８等に対してＤＣ−ＤＣコンバータ７で降圧した電源（例えば、５Ｖ）を供給する。
【００２３】
制御部２は、カード搬送部３、カード処理部４、電断検知部５、バックアップ電源部６、ＤＣ−ＤＣコンバータ７、および通信部８の各部を制御する。カード搬送部３は、モータの駆動によりカードをカード搬送路に沿って搬送する。また、カード搬送部３はカード挿入口近傍に配置したシャッタ（不図示）の開閉を行う。このシャッタは、カード挿入口から装置内に異物が挿入されたり、塵や埃が入り込むの抑えるために設けている。カード処理部４は、搬送路を搬送されているカードに形成されている磁気ストライプに当接する位置に配置した磁気ヘッドを有している。カード処理部４は、この磁気ヘッドで、搬送されているカードの磁気ストライプに記録されているカードデータの読み取りや、磁気ストライプへのカードデータの書き込みを行う。電断検知部５は、外部から供給されている主電源の電圧を監視し、主電源の供給が停止したかどうかを検知する（電断の発生有無を検知する。）。
【００２４】
バックアップ電源部６は、図２に示すように、２次電池１１、この２次電池１１を充電する充電回路１２、２次電池１１の出力を昇圧する昇圧回路１３、および２次電池１１を充電するか、２次電池１１による電源供給を行うかを切り替える切替回路１４を有している。この実施形態のカード処理装置１は、主電源を直接供給するカード搬送部３、カードデータの書込回路（カード処理部４）等については昇圧回路１３で昇圧した電源を供給し、てＤＣ−ＤＣコンバータ７で降圧した電源を供給する制御部２、カードデータの読取回路（カード処理部４）、通信部８等については２次電池１１の出力を直接供給する。２次電池１１は、ニッケル水素電池であり、５Ｖの出力が得られるように、５〜６本直列に接続している。このように、昇圧回路１３を設けることにより、必要な２次電池の本数を抑えることができ、装置本体を小型に構成できる。充電回路１２には、主電源が接続されている。２次電池１１の充電は、主電源により行われる。昇圧回路１３は、２次電池１１の出力を２４Ｖに昇圧する。切替回路１４は、電断検知部５において主電源の供給が行われていることが検知されているとき（電断が発生していないとき）に２次電池１１を充電する側に切り替えられ、主電源の供給が停止していることが検知されているとき（電断が発生しているとき）に２次電池で動作電源を供給する側に切り替えられる。
【００２５】
ＤＣ−ＤＣコンバータ７は、主電源を５Ｖに降圧する回路であり、上述したように制御部２等に降圧した電源を供給する。通信部８は、このカード処理装置１が適用されている装置、例えばＡＴＭ、ＣＤ、券売機等の上位装置に対して、挿入されたカードから読み取ったカードデータを送信したり、上位装置から送信されたきたカードに書き込むカードデータを受信する。
【００２６】
次に、この実施形態のカード処理装置１の動作を説明する。まず、この実施形態のカード処理装置１の動作の概略を説明する。図３は、この実施形態のカード処理装置の動作の概略を説明するフローチャートである。カード処理装置１は、カード挿入口にカードが挿入されるのを待っている（ｓ１）。カード挿入口には、挿入された物体の幅がカードと同じ幅であるかどうかを検知する幅検知センサや、カード挿入口に挿入された物体に磁気ストライプが形成されているどうかを検知する磁気センサが配置されている。カード処理装置１は、カード挿入口に挿入された物体がカードと同じ幅で、且つ磁気ストライプが形成されていれば、カード挿入口にカードが挿入されたと判定する。カード挿入口にカードが挿入されると、カード搬送部３がシャッタを開して挿入されたカードを本体に取り込む（ｓ２）。また、カード処理部４がカード搬送部３により搬送されているカードの磁気ストライプに記録されているカードデータの読み取りや、磁気ストライプへのカードデータの書き込みにかかるカード処理を行う（ｓ３）。カード処理は、カード搬送部３でカードを搬送しながら、このカードの磁気ストライプに当接している磁気ヘッドによりカードデータの読み取りや、書き込みを行う。通信部８が、カードから読み取ったカードデータを上位装置に送信するとともに、上位装置から送信されてきたカードに書き込むカードデータを受信する。
【００２７】
カード処理装置１は、ｓ３にかかるカード処理が完了すると、装置本体に取り込んだカードをカード挿入口に搬送し（ｓ４）、該カードを利用者に返却する。利用者がカード挿入口からカードを抜き取ると（ｓ５）、シャッタを閉して本処理を終了する（ｓ６）。
【００２８】
なお、上位装置は、カード処理装置１から送信されてきたカードデータを用いて、入出金処理（ＡＴＭやＣＤの場合）や発券処理（券売機の場合）等を行い、必要に応じてカードに書き込むカードデータを作成し、カード処理装置１へ送信する。
【００２９】
カード処理装置１は、この図３に示した処理を実行しているとき、電断検知部５において主電源の供給が停止したかどうかを常に監視している。カード処理装置１は、主電源の供給停止を検知すると、図４に示す電断処理を行う。図４は、この実施形態のカード処理装置における電断処理を示すフローチャートである。カード処理装置１は、主電源の供給が停止していないとき（主電源の電断が発生していないとき）、切替回路１４を充電回路１２側に接続し、充電回路１２により２次電池１１を充電している。カード処理装置１は、電断検知部５において主電源の供給が停止した電断の発生を検知すると、バックアップ電源部６による動作電源の供給を開始する（ｓ１１）。具体的には、切替回路１４において２次電池１１の接続を充電回路１２から昇圧回路１３側に切り替える。
【００３０】
また、カード処理装置１は、この電断の発生時に実行していた処理を中止する（ｓ１２）。図５に示すように、電断の発生（図５に示すタイミングｔ１）からバックアップ電源部６による電源供給が安定するまでに（図５に示すタイミングｔ２）、数１０ｍｓ程度のタイムラグが存在する。このため、このｔ１からｔ２の期間に動作を行っても、その動作が安定せず、失敗する可能性が高い。したがって、ｓ１２で実行中の処理を中止することで、失敗する可能性が高い処理を無駄に行うのを防止できる。
【００３１】
カード処理装置１は、ｓ１２で電断の発生時に実行していた処理を中止すると、バックアップ電源部６による電源供給が安定するのを待つ（ｓ１３）。ｓ１３では、予め定めた時間、例えば数１０ｍｓ、待つように構成してもよいし、またバックアップ電源部６から供給している電源を監視し、その電源が安定するのを検知する構成としてもよい。
【００３２】
カード処理装置１は、バックアップ電源部６による電源供給が安定すると、ｓ１２で中止した処理がカードデータの書き込みにかかる処理であるか、その他の処理（カードデータの読み取りや、カードの排出等にともなう搬送にかかる処理）であるかどうかを判定する（ｓ１４）。カード処理装置１は、ｓ１４でカードの書き込みにかかる処理でないと判定すると、本体内部に取り込んでいるカードをカード挿入口へ搬送し（ｓ１５）、利用者によってカードが抜き取られたことを検出すると（ｓ１６）、シャッタを閉し（ｓ１７）、本処理を終了する。
【００３３】
このように、カード処理装置１は、電断の発生時に実行していた処理が途中で中止してもカードデータを破壊する恐れがない、カードデータの読み取りや単なるカードの搬送であれば、バックアップ電源部６による電源供給が安定すると、直ぐに本体に取り込んでいるカードをカード挿入口に搬送するので、電断の発生時にカードを利用者に速やかに返却することができる。また、上位装置で行われていた処理は、必要に応じて取り消される。例えば、挿入されたカードのカードデータの読み取りを開始した直後に電断が発生した場合には、このカードに対する上位装置での処理は取り消される。一方、上位装置での処理が完了しており、カードを利用者に返却するためにカード挿入口へ搬送しているときに電断が発生した場合には、このカードに対する上位装置での処理は取り消されない。
【００３４】
カード処理装置１は、ｓ１４でカードデータの書き込みにかかる処理であると判定すると、電断の発生時に行っていた処理が磁気ストライプに対するカードデータの書き込み中であったのか、書き込んだカードデータが正しく書かれているかを確認するために読み取り中であったのかを判定する（ｓ１８）。カード処理装置１は、ｓ１８で書き込み中であったと判定すると、カードを書き込み開始位置に戻し（ｓ１９）、該カードに対して中止したカードデータの書き込みをやり直す（ｓ２０）。そして、カードデータを読み取って、ｓ２０でカードデータが正しく書き込めたかどうかを確認する（ｓ２１）。カード処理装置１は、ｓ２１でカードデータが正しく書き込めていることを確認すると、上述したｓ１５〜ｓ１７の処理を行う。また、カードデータが正しく書き込めていないと、カードデータの書き込みをもう一度実行し（リトライし）（ｓ２２）、本処理を終了する。ｓ２２にかかるリトライでは、カードデータの書き込み、カードデータが正しく書き込めたかどうかを確認する処理、およびカードをカード挿入口へ搬送する処理が行われる。また、このリトライで、再度カードデータの書き込みに失敗した場合には、カードが破損していることを利用者に通知するための報知を行う。
【００３５】
このように、この実施形態のカード処理装置１は、カードデータを書き込んでいるときに電断が発生すると、この処理を中止し、バックアップ電源部６による電源供給が安定すると、中止した処理を最初からやり直すので、従来のカード処理装置のように電断の発生からバックアップ電源部６による電源供給が安定するまでの期間に失敗している可能性が高い処理を最後まで実行するという、無駄な動作を行わない。また、バックアップ電源部６による電源供給が安定してから、電断の発生時に実行していたカードデータの書き込みにかかる処理をやり直す。したがって、カードデータを破壊することなく、速やかにカードを利用者に返却することができる。また、電断の発生時に無駄な処理を実行しないので、必要になるバックアップ電源の容量も抑えることができ、装置本体の小型化が図れる。
【００３６】
さらに、カード処理装置１は、書き込んだカードデータが正しく書かれているかを確認するために読み取り中であったと判定すると、該カードを書き込み開始位置に戻し（ｓ２３）、上述したｓ２１以降の処理を実行する。したがって、電断の発生時に行っていた処理がカードデータの書き込みにかかる処理であっても、カードデータの書き込みが完了し、カードデータが正しく書き込めたかどうかを確認するための処理であれば、再度カードデータを書き込むという無駄な処理を行うことがなく、速やかにカードを利用者に返却することができる。
【００３７】
また、図６に示すように、ｓ１３、ｓ１４の処理を入れ替えてもよい。この場合には、電断の発生時に実行していた処理がバックアップ電源部６による電源供給が安定していない状態で実行してもカードデータを破壊する恐れがない、カードデータの読み取りや単なるカードの搬送であれば、カードを利用者に一層速やかに返却することができる。
【００３８】
なお、上記実施形態では、磁気ストライプが形成されたカードを処理するカード処理装置を例にして本願発明を説明したが、本願発明はＩＣが搭載されたＩＣカード等、他の種類のカードを処理するカード処理装置に適用できる。
【図面の簡単な説明】
【００３９】
【図１】この発明の実施形態であるカード処理装置の構成を示すブロック図である。
【図２】この発明の実施形態であるカード処理装置のバックアップ電源部の構成を示す図である。
【図３】この発明の実施形態であるカード処理装置の動作の概略を示すフローチャートである。
【図４】この実施形態のカード処理装置における電断処理を示すフローチャートである。
【図５】電断の発生から、バックアップ電源の供給が安定するまでのタイムラグを説明する図である。
【図６】別の実施形態のカード処理装置における電断処理を示すフローチャートである。
【符号の説明】
【００４０】
１−カード処理装置
２−制御部
３−カード搬送部
４−カード処理部
５−電断検知部
６−バックアップ電源部
７−ＤＣ−ＤＣコンバータ
８−通信部
１１−２次電池
１２−充電回路
１３−昇圧回路
１４−切替回路
【図１】
2006092190.tif 000003
【図２】
2006092190.tif 000004
【図３】
2006092190.tif 000005
【図４】
2006092190.tif 000006
【図５】
2006092190.tif 000007
【図６】
2006092190.tif 000008